(57)【要約】【課題】輝度ムラを低減すること。【解決手段】第１の赤色発光素子ＲＡ１１、第１の緑色発光素子ＧＡ１１、第１の青色発光素子ＢＡ１１、第１の赤色発光素子に対して列方向に配置され、前記第１の赤色発光素子に直列接続する第２の赤色発光素子ＲＡ１２、第１の緑色発光素子に対して列方向に配置され、前記第１の緑色発光素子に直列接続する第２の緑色発光素子ＧＡ１２、第１の青色発光素子に対して列方向に配置され、前記第１の青色発光素子に直列接続する第２の青色発光素子ＢＡ１１とを有し、第１の赤色発光素子、第１の緑色発光素子、および第１の青色発光素子は行方向に配置され、第２の赤色発光素子、第２の緑色発光素子、および第２の青色発光素子は行方向に配置されている。【選択図】図３
2008158231.tif 000002
【特許請求の範囲】
【請求項１】
画像を表示する表示パネルと、
前記表示パネルを照らす光源であって、第１の赤色発光素子と、第１の緑色発光素子と、第１の青色発光素子と、前記第１の赤色発光素子に対して列方向に配置され、前記第１の赤色発光素子に直列接続する第２の赤色発光素子と、前記第１の緑色発光素子に対して列方向に配置され、前記第１の緑色発光素子に直列接続する第２の緑色発光素子と、前記第１の青色発光素子に対して列方向に配置され、前記第１の青色発光素子に直列接続する第２の青色発光素子とを有し、前記第１の赤色発光素子、前記第１の緑色発光素子、および前記第１の青色発光素子は行方向に配置され、前記第２の赤色発光素子、前記第２の緑色発光素子、および前記第２の青色発光素子は前記行方向に配置されている前記光源と
を具備することを特徴とするディスプレイユニット。
【請求項２】
画像を表示する表示パネルと、
前記表示パネルを照らす光源であって、第１の赤色発光素子と第１の緑色発光素子と第１の青色発光素子とを有する第１グループと、前記第１の赤色発光素子に直列接続する前記第２の赤色発光素子と前記第１の緑色発光素子に直列接続する第２の緑色発光素子と前記第１の青色発光素子に直列接続する第２の青色発光素子とを有する第２グループと、第３の赤色発光素子と第３の緑色発光素子と第３の青色発光素子とを含む第３グループと、前記第３の赤色発光素子に直列接続する前記第４の赤色発光素子と前記第３の緑色発光素子に直列接続する第４の緑色発光素子と前記第３の青色発光素子に直列接続する第４の青色発光素子とを有する第４グループとを有し、
前記第１グループと前記第３グループとは行方向に配列され、前記第２グループと前記第４グループとは前記行方向に配列され、前記第１グループと前記第２グループとは列方向に配置され、前記第３グループと前記第４グループとは前記列方向に配置されている前記光源と、
前記第１の赤色発光素子のアノード側および前記第２の赤色発光素子のカソード側が接続され、前記第１の赤色発光素子および前記第２の赤色発光素子に流れる電流の値を調整する第１赤色制御回路と、
前記第３の赤色発光素子のアノード側および前記第４の赤色発光素子のカソード側が接続され、前記第３の赤色発光素子および前記第４の赤色発光素子に流れる電流の値を調整する第２赤色制御回路と、
前記第１の緑色発光素子のアノード側および前記第２の緑色発光素子のカソード側が接続され、前記第１の緑色発光素子および前記第２の緑色発光素子に流れる電流の値を調整する第１緑色制御回路と、
前記第３の緑色発光素子のアノード側および前記第４の緑色発光素子のカソード側が接続され、前記第３の緑色発光素子および前記第４の緑色発光素子に流れる電流の値を調整する第２緑色制御回路と、
前記第１の青色発光素子のアノード側および前記第２の青色発光素子のカソード側が接続され、前記第１の青色発光素子および前記第２の青色発光素子に流れる電流の値を調整する第１青色制御回路と、
前記第３の青色発光素子のアノード側および前記第４の青色発光素子のカソード側が接続され、前記第３の青色発光素子および前記第４の青色発光素子に流れる電流の値を調整する第２青色制御回路と
を具備することを特徴とする情報処理装置。
【請求項３】
前記第１の赤色発光素子、前記第１の緑色発光素子、前記第１の青色発光素子、前記第３の赤色発光素子、前記第３の緑色発光素子、および前記第３の青色発光素子は前記行方向に配置され、
前記第２の赤色発光素子、前記第２の緑色発光素子、前記第２の青色発光素子、前記第４の赤色発光素子、前記第４の緑色発光素子、および前記第４の青色発光素子は前記行方向に配置され、
前記第１の赤色発光素子と前記第２の赤色発光素子とは列方向に配置され、
前記第１の緑色発光素子と前記第２の緑色発光素子とは列方向に配置され、
前記第１の青色発光素子と前記第２の青色発光素子とは列方向に配置されていること特徴とする請求項２記載の情報処理装置。
【請求項４】
第１の輝度制御信号を生成する第１の生成回路と、
第２の輝度制御信号を生成する第２の生成回路と、
第３の輝度制御信号を生成する第３の生成回路とをさらに具備し、
前記第１赤色制御回路は、前記第１の輝度制御信号のデューティ比に応じて前記第１の赤色発光素子および第２の赤色発光素子に流れる電流の値を調整する回路を含み、
前記第２赤色制御回路は、前記第１の輝度制御信号のデューティ比に応じて前記第３の赤色発光素子および第４の赤色発光素子に流れる電流の値を調整する回路を含み、
前記第１緑色制御回路は、前記第２の輝度制御信号のデューティ比に応じて前記第１の緑色発光素子および第２の緑色発光素子に流れる電流の値を調整する回路を含み、
前記第２緑色制御回路は、前記第２の輝度制御信号のデューティ比に応じて前記第３の緑色発光素子および第４の緑色発光素子に流れる電流の値を調整する回路を含み、
前記第１青色制御回路は、前記第３の輝度制御信号のデューティ比に応じて前記第１の青色発光素子および第２の青色発光素子に流れる電流の値を調整する回路を含み、
前記第２青色制御回路は、前記第３の輝度制御信号のデューティ比に応じて前記第３の青色発光素子および第４の青色発光素子に流れる電流の値を調整する回路を含むことを特徴とする請求項２記載の情報処理装置。
【請求項５】
映像信号を生成するグラフィクスコントローラと、
前記グラフィクスコントローラから出力される映像信号を伝送するケーブルと、
前記ケーブルが接続されるインターフェースであり、前記第１赤色制御回路、前記第２赤色制御回路、前記第１緑色制御回路、前記第２緑色制御回路、前記第１青色制御回路、および前記第２青色制御回路の夫々の回路から供給される電流を受ける端子を有するインターフェースと、を更に具備する請求項２記載の情報処理装置。
【請求項６】
画像を表示する表示パネルと、
前記表示パネルを照らす光源であって、第１の白色発光素子と、前記第１の白色発光素子に直列接続する前記第２の白色発光素子と、第３の白色発光素子と、前記第３の白色発光素子に直列接続する前記第４の白色発光素子とを有し、前記第１の白色発光素子と前記第の白色発光素子とは一方向に配列され、前記第２の白色発光素子と前記第４の白色発光素子とは前記行方向に配列され、前記第１の白色発光素子および前記第３の白色発光素子と前記第２の白色発光素子および前記第４の白色発光素子とは列方向に配列されている前記光源と、
前記第１の白色発光素子のアノード側および前記第２の白色発光素子のカソード側が接続され、前記第１の白色発光素子および前記第２の白色発光素子に流れる電流の値を調整する第１白色制御回路と、
前記第３の白色発光素子のアノード側および前記第４の白色発光素子のカソード側が接続され、前記第３の白色発光素子および前記第４の白色発光素子に流れる電流の値を調整する第２白色制御回路と
を具備することを特徴とする情報処理装置。
【請求項７】
輝度制御信号を生成する生成回路をさらに具備し、
前記第１白色制御回路は、前記第１の輝度制御信号のデューティ比に応じて前記第１の白色発光素子および第２の白色発光素子に流れる電流の値を調整する回路を含み、
前記第２白色制御回路は、前記第１の輝度制御信号のデューティ比に応じて前記第３の白色発光素子および第４の白色発光素子に流れる電流の値を調整する回路を含むことを特徴とする請求項６記載の情報処理装置。
【請求項８】
映像信号を生成するグラフィクスコントローラと、
前記グラフィクスコントローラから出力される映像信号を伝送するケーブルと、
前記ケーブルが接続されるインターフェースであり、前記第１白色制御回路、および前記第２白色制御回路の夫々の回路から供給される電流を受ける端子を有するインターフェースと、を更に具備する請求項６記載の情報処理装置。
【発明の詳細な説明】
【技術分野】
【０００１】
本発明は、発光素子を光源として備えたディスプレイユニット、および情報処理装置に関する。
【背景技術】
【０００２】
近年、ＬＥＤ（Light Emitting Diode）などの発光素子を光源として備えたＬＣＤ（Liquid Crystal Display）のようなディスプレイユニットを備えた携帯型端末装置が開発されている。ＬＥＤは、依然は低かった発光効率も、最近では発光効率が十分に改善されている。
【０００３】
特許文献１には、赤色ＬＥＤ、緑色ＬＥＤ、青色ＬＥＤを用いて白色の発光源を得ることが記載されている。
【特許文献１】特開２００１−１３５１１８号
【発明の開示】
【発明が解決しようとする課題】
【０００４】
ディスプレイの輝度を上げるために、ＬＥＤを複数列配置した光源が考えられている。ところが、どのようにして輝度ムラを下げるかは、考慮されていない
本発明の目的は、輝度ムラが低減されるディスプレイユニット、および情報処理装置を提供することにある。
【課題を解決するための手段】
【０００５】
本発明の一例に係わるディスプレイユニットは、画像を表示する表示パネルと、前記表示パネルを照らす光源であって、第１の赤色発光素子、第１の緑色発光素子、第１の青色発光素子、前記第１の赤色発光素子に対して列方向に配置され、前記第１の赤色発光素子に直列接続する第２の赤色発光素子、前記第１の緑色発光素子に対して列方向に配置され、前記第１の緑色発光素子に直列接続する第２の緑色発光素子、前記第１の青色発光素子に対して列方向に配置され、前記第１の青色発光素子に直列接続する第２の青色発光素子とを有し、前記第１の赤色発光素子、前記第１の緑色発光素子、および前記第１の青色発光素子は行方向に配置され、前記第２の赤色発光素子、前記第２の緑色発光素子、および前記第２の青色発光素子は前記行方向に配置されている前記光源とを具備することを特徴とする。
【０００６】
本発明の一例に係わる情報処理装置は、画像を表示する表示パネルと、前記表示パネルを照らす光源であって、第１の赤色発光素子と第１の緑色発光素子と第１の青色発光素子とを有する第１グループと、前記第１の赤色発光素子に直列接続する前記第２の赤色発光素子と前記第１の緑色発光素子に直列接続する第２の緑色発光素子と前記第１の青色発光素子に直列接続する第２の青色発光素子とを有する第２グループと、第３の赤色発光素子と第３の緑色発光素子と第３の青色発光素子とを含む第３グループと、前記第３の赤色発光素子に直列接続する前記第４の赤色発光素子と前記第３の緑色発光素子に直列接続する第４の緑色発光素子と前記第３の青色発光素子に直列接続する第４の青色発光素子とを有する第４グループとを有し、前記第１グループと前記第３グループとは一方向に配列され、前記第２グループと前記第４グループとは前記一方向に配列され、前記第１グループおよび前記第３グループと前記第２グループおよび前記第４グループとは直交する方向に配列されている前記光源と、前記第１の赤色発光素子のアノード側および前記第２の赤色発光素子のカソード側が接続され、前記第１の赤色発光素子および前記第２の赤色発光素子に流れる電流の値を調整する第１赤色制御回路と、前記第３の赤色発光素子のアノード側および前記第４の赤色発光素子のカソード側が接続され、前記第３の赤色発光素子および前記第４の赤色発光素子に流れる電流の値を調整する第２赤色制御回路と、前記第１の緑色発光素子のアノード側および前記第２の緑色発光素子のカソード側が接続され、前記第１の緑色発光素子および前記第２の緑色発光素子に流れる電流の値を調整する第１緑色制御回路と、前記第３の緑色発光素子のアノード側および前記第４の緑色発光素子のカソード側が接続され、前記第３の緑色発光素子および前記第４の緑色発光素子に流れる電流の値を調整する第２緑色制御回路と、前記第１の青色発光素子のアノード側および前記第２の青色発光素子のカソード側が接続され、前記第１の青色発光素子および前記第２の青色発光素子に流れる電流の値を調整する第１青色制御回路と、前記第３の青色発光素子のアノード側および前記第４の青色発光素子のカソード側が接続され、前記第３の青色発光素子および前記第４の青色発光素子に流れる電流の値を調整する第２青色制御回路とを具備することを特徴とする。
【０００７】
本発明の一例に係わる情報処理装置は、画像を表示する表示パネルと、前記表示パネルを照らす光源であって、第１の白色発光素子と、前記第１の白色発光素子に直列接続する前記第２の白色発光素子と、第３の白色発光素子と、前記第３の白色発光素子に直列接続する前記第４の白色発光素子とを有し、前記第１の白色発光素子と前記第の白色発光素子とは一方向に配列され、前記第２の白色発光素子と前記第４の白色発光素子とは前記一方向に配列され、前記第１の白色発光素子および前記第３の白色発光素子と前記第２の白色発光素子および前記第４の白色発光素子とは直交する方向に配列されている前記光源と、前記第１の白色発光素子のアノード側および前記第２の白色発光素子のカソード側が接続され、前記第１の白色発光素子および前記第２の白色発光素子に流れる電流の値を調整する第１白色制御回路と、前記第３の白色発光素子のアノード側および前記第４の白色発光素子のカソード側が接続され、前記第３の白色発光素子および前記第４の白色発光素子に流れる電流の値を調整する第２白色制御回路とを具備することを特徴とする。
【発明の効果】
【０００８】
ディスプレイの輝度ムラが低減される。
【発明を実施するための最良の形態】
【０００９】
以下、図面を参照して本発明の実施形態を説明する。
【００１０】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。
【００１１】
図１は、ノートブック型パーソナルコンピュータ１０のディスプレイユニットを開いた状態における斜視図である。本コンピュータ１０は、コンピュータ本体１１と、ディスプレイユニット１２とから構成される。ディスプレイユニット１２には、ＬＣＤ１７（Liquid Crystal Display）およびバックライトから構成される表示パネルが組み込まれており、そのＬＣＤ１７の表示画面はディスプレイユニット１２のほぼ中央に位置されている。ＬＣＤ１７は、透過型液晶パネルから構成されている。ディスプレイユニット１２においては、ＬＣＤ１７の背面にバックライトが配置されている。バックライトは、ディスプレイユニット１２の照明装置として機能する。このバックライトは、ＬＥＤ（Light Emitting Diode）のような発光素子を光源として備えている。バックライトの光源にＬＥＤ群を用いることによって、バックライトの長寿命化、および低消費電力を実現することが出来る。本実施形態では、赤色ＬＥＤ、緑色ＬＥＤ、青色ＬＥＤの３種類のＬＥＤを用いて、所望の色、例えば白色を発色させる。
【００１２】
ディスプレイユニット１２は、コンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１３】
入力操作パネル１５は、押されたボタンに対応するイベントを入力する入力装置であり、複数の機能をそれぞれ起動するための複数の機能をそれぞれ起動するための複数のボタンを備えている。これらのボタン群には、輝度制御ボタン１５Ａも含まれている。
【００１４】
輝度制御ボタン１５Ａは、ＬＣＤ１７の表示輝度、つまりＬＥＤの輝度を調整するためのボタンスイッチである。輝度制御ボタン１５Ａがユーザによって押下されたとき、白色ＬＥＤの輝度の増加（高輝度）および減少（低輝度）のいずれか一方を指示するイベントが発生する。本コンピュータ１０は、ＬＥＤの輝度を表示輝度レベル８〜１の８段階で切り替える輝度制御機能を有する。本実施形態においては、輝度制御ボタン１５Ａがユーザによって押される毎に、ＬＥＤの輝度は、表示輝度レベル８，→７，→６，・・・，→１，→８のように切替えられる。
【００１５】
次に、図２を参照して、本コンピュータ１０のシステム構成について説明する。
【００１６】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２４、および電源コントローラ１２５等を備えている。
【００１７】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）、および各種アプリケーションプログラムを実行する。
【００１８】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１９】
ノースブリッジ１１２はＣＰＵ１１１のローカルバスとサウスブリッジ１１９との間を接続するブリッジデバイスである。
【００２０】
また、ノースブリッジ１１２には、主メモリ１１３をアクセス制御するメモリコントローラも内蔵されている。また、ノースブリッジ１１２には、ＡＧＰ（Accelerated Graphics Port）バスなどを介してグラフィクスコントローラ１１４との通信を実行する機能も有している。
【００２１】
グラフィクスコントローラ１１４は、本コンピュータ１０のディスプレイモニタとして使用されるＬＣＤ１７を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた表示データから、ディスプレイユニット１２のＬＣＤ１７に表示すべき表示イメージを形成する映像信号を生成する。
【００２２】
サウスブリッジ１１９は、Ｉ2Ｃバス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能も有している。
【００２３】
また、サウスブリッジ１１９には、リアルタイムクロック（ＲＴＣ）１１９Ａを内蔵している。リアルタイムクロック（ＲＴＣ）１１９Ａは日時を計時する時計モジュールであり、本コンピュータ１０がパワーオフされている期間中も、リアルタイムクロック（ＲＴＣ）１１９Ａ専用の電池によって動作する。また、リアルタイムクロック１１９Ａは、ＬＥＤ群１９の点灯時間を測定して、記憶する機能を有する。
【００２４】
ＨＤＤ１２１は、各種ソフトウェア及びデータを格納する記憶装置である。このＨＤＤ１２１には、上述したオペレーティングシステムおよび各種アプリケーションシステムなどが格納されている。
【００２５】
光ディスクドライブ（ＯＤＤ）１２２は、ビデオコンテンツが格納されたＤＶＤ、ＣＤなどの記憶メディアを駆動するためのドライブユニットである。
【００２６】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。また、エンベデッドコントローラ／キーボードコントローラＩＣ（ＥＣ／ＫＢＣ）１２４は、電源コントローラ１２５と協調して動作することにより、ユーザによるパワーボタン１４の操作に応じて、本コンピュータ１０をパワーオン／パワーオフする機能を有している。
【００２７】
電源コントローラ１２５は、ＡＣアダプタ１２５Ｂを介して外部電源が供給されている場合、ＡＣアダプタ１２５Ｂから供給される外部電源を用いて本コンピュータ１０の各コンポーネントに供給すべきシステム電源を生成する。また、ＡＣアダプタ１２５Ｂを介して外部電源が供給されていない場合、バッテリ１２５Ａを用いて本コンピュータ１０の各コンポーネント（コンピュータ本体１２，およびディスプレイユニット（表示部）１４）に供給すべきシステム電源を生成する。
【００２８】
エンベデッドコントローラ／キーボードコントローラＩＣ１２４はＬＥＤ群１９の表示輝度を制御する機能を有している。エンベデッドコントローラ／キーボードコントローラＩＣ１２４は、ＬＥＤの輝度を制御するために輝度制御テーブル１２６を使用する。輝度制御テーブルには、表示輝度レベル８〜１それぞれに対応する輝度制御データ（第１の輝度制御データ、第２の輝度制御データ、第３の輝度制御データ）がＬＥＤが発色する種類及びＬＥＤ群１９の点灯時間に応じて設定されている。表示輝度レベル８〜１それぞれに対応する輝度制御データがＬＥＤの使用時間に応じてＬＥＤの種類毎に設定されているので、経年変化が生じてＬＥＤの輝度が変換しても、使用時間に応じた輝度制御データを使用することで、色ズレを抑制することができる。また、色温度毎に、表示輝度レベル８〜１それぞれに対応する輝度制御データ（第１の輝度制御データ、第２の輝度制御データ、第３の輝度制御データ）がＬＥＤが発色する種類及びＬＥＤ群の点灯時間に応じて設定されていても良い。
【００２９】
第１の生成回路としてのＰＷＭ回路１２７は、ＲＴＣ１１９Ａによって測定された点灯時間と表示輝度レベルに応じて、輝度制御テーブル１２６から赤色ＬＥＤに対応する輝度制御データを得て、輝度制御データ（第１の輝度制御データ）に対応したＰＷＭ信号（第１の輝度制御信号）を発生する。ＰＷＭ信号のデューティ比は、輝度制御データの値によって変化する。ＰＷＭ回路１２７から発生されたＰＷＭ信号は、ディスプレイユニット１２内に設けられた第１赤色制御回路１３０Ａおよび第２赤色制御回路１３０Ｂに輝度制御信号として送られる。第１赤色制御回路１３０Ａおよび第２赤色制御回路１３０Ｂは、ＬＥＤ群１９中の赤色ＬＥＤを駆動する回路である。第１赤色制御回路１３０Ａおよび第２赤色制御回路１３０Ｂは、ブーストＤＣ−ＤＣコンバータとして機能する。第１赤色制御回路１３０Ａおよび第２赤色制御回路１３０Ｂは、ＬＥＤ群１９中の赤色ＬＥＤに流れる電流の値を調整するために、ＰＷＭ回路１２７から送出されたＰＷＭ信号に応じてＬＥＤ群１９中の赤色ＬＥＤに供給される駆動電圧の電流の値を調整する。
【００３０】
第２の生成回路としてのＰＷＭ回路１２８は、ＲＴＣ１１９Ａによって測定された点灯時間と表示輝度レベルに応じて、輝度制御テーブル１２６から緑色ＬＥＤに対応する輝度制御データを得て、輝度制御データ（第２の輝度制御データ）に対応したＰＷＭ信号（第２の輝度制御信号）を発生する。ＰＷＭ信号のデューティ比は、輝度制御データの値によって変化する。ＰＷＭ回路１２７から発生されたＰＷＭ信号は、ディスプレイユニット１２内に設けられた第１緑色制御回路１３１Ａおよび第２緑色制御回路１３１Ｂに輝度制御信号として送られる。第１緑色制御回路１３１Ａおよび第２緑色制御回路１３１Ｂは、ＬＥＤ群１９中の緑色ＬＥＤを駆動する回路である。第１緑色制御回路１３１Ａおよび第２緑色制御回路１３１Ｂは、ブーストＤＣ−ＤＣコンバータとして機能する。第１緑色制御回路１３１Ａおよび第２緑色制御回路１３１Ｂは、ＬＥＤ群１９中の緑色ＬＥＤに流れる電流の値を調整するために、ＰＷＭ回路１２８から送出されたＰＷＭ信号に応じてＬＥＤ群１９中の緑色ＬＥＤに供給される駆動電圧の電流の値を調整する。
【００３１】
第３の生成回路としてのＰＷＭ回路１２９は、ＲＴＣ１１９Ａによって測定された点灯時間と表示輝度レベルに応じて、輝度制御テーブル１２６から青色ＬＥＤに対応する輝度制御データを得て、輝度制御データ（第２の輝度制御データ）に対応したＰＷＭ信号（第２の輝度制御信号）を発生する。ＰＷＭ信号のデューティ比は、輝度制御データの値によって変化する。ＰＷＭ回路１２７から発生されたＰＷＭ信号は、ディスプレイユニット１２内に設けられた第１青色制御回路１３２Ａおよび第２青色制御回路１３２Ｂに輝度制御信号として送られる。第１青色制御回路１３２Ａおよび第２青色制御回路１３２Ｂは、ＬＥＤ群１９中の青色ＬＥＤを駆動する回路である。第１青色制御回路１３２Ａおよび第２青色制御回路１３２Ｂは、ブーストＤＣ−ＤＣコンバータとして機能する。第１青色制御回路１３２Ａおよび第２青色制御回路１３２Ｂは、ＬＥＤ群１９中の青色ＬＥＤに流れる電流の値を調整するために、ＰＷＭ回路１２９から送出されたＰＷＭ信号に応じてＬＥＤ群１９中の青色ＬＥＤに供給される駆動電圧の電流の値を調整する。
【００３２】
ＬＥＤ群１９は、ＬＣＤ１７の背面に設けられた導光板１８の一端部に取り付けられている。導光板１８によって、ＬＥＤ群１９からの光を面状に照射される。導光板１８とＬＥＤ群１９とにより、バックライトが構成される。
【００３３】
図３を参照して、ＬＥＤ群１９について説明する。図３は、導光板１８に対向するＬＥＤ群１９の発光面を示す図である。図３に示すように、発光面には、赤色ＬＥＤ  Ｒαβγ（α＝Ａ，Ｂ、β＝１，２，…，ｎ、γ＝１，２）と緑色ＬＥＤ  Ｇαβγ（α＝Ａ，Ｂ、β＝１，２，…，ｎ、γ＝１，２）と青色ＬＥＤ  Ｒαβγ（α＝Ａ，Ｂ、β＝１，２，…，ｎ、γ＝１，２）とから構成されるグループＧｒαβγ（α＝Ａ，Ｂ、β＝１，２，…，ｎ、γ＝１，２）を有する。
【００３４】
グループＧｒαβ１（α＝Ａ，Ｂ、β＝１，２，…，ｎ）は、それぞれ行方向に配列されている。すなわち、赤色ＬＥＤ  Ｒαβ１（α＝Ａ，Ｂ、β＝１，２，…，ｎ）、緑色ＬＥＤ  Ｇαβ１（α＝Ａ，Ｂ、β＝１，２，…，ｎ）、および青色ＬＥＤ  Ｒαβ１（α＝Ａ，Ｂ、β＝１，２，…，ｎ）は、行方向に配置されている。
【００３５】
グループＧｒαβ２（α＝Ａ，Ｂ、β＝１，２，…，ｎ）はそれぞれ、行列方向に配列されている。すなわち、赤色ＬＥＤ  Ｒαβ２（α＝Ａ，Ｂ、β＝１，２，…，ｎ）、緑色ＬＥＤ  Ｇαβ２（α＝Ａ，Ｂ、β＝１，２，…，ｎ）、および青色ＬＥＤ  Ｒαβ２（α＝Ａ，Ｂ、β＝１，２，…，ｎ）は、行方向に配置されている。
【００３６】
グループＧｒαβ１（α＝Ａ，Ｂ、β＝１，２，…，ｎ）とグループＧｒαβ２（α＝Ａ，Ｂ、β＝１，２，…，ｎ）とはそれぞれのグループの行方向に直交する列方向に配列されている。
【００３７】
より詳細には、赤色ＬＥＤ  Ｒαβ１（α＝Ａ，Ｂ、β＝１，２，…，ｎ）と赤色ＬＥＤ  Ｒαβ２（α＝Ａ，Ｂ、β＝１，２，…，ｎ）とが列方向に配置されている。緑色ＬＥＤ  Ｇαβ１（α＝Ａ，Ｂ、β＝１，２，…，ｎ）と緑色ＬＥＤ  Ｇαβ２（α＝Ａ，Ｂ、β＝１，２，…，ｎ）とが列方向に配置されている。青色ＬＥＤ  Ｂαβ１（α＝Ａ，Ｂ、β＝１，２，…，ｎ）と青色ＬＥＤ  Ｂαβ２（α＝Ａ，Ｂ、β＝１，２，…，ｎ）とが列方向に配置されている。
【００３８】
図３に示すように、列方向には同一の色を配置する。同一の色を配置しないと、ＲＧＢ３原色の組み合わせにより、７通りの原色が発生し、場所により異なった光源（黄色、水色、紫、赤、青、緑、白）となり、色ムラになる。
【００３９】
次に図４を参照して、ＬＥＤ群１９および制御回路の構成を説明する。
【００４０】
赤色ＬＥＤ  ＲＡβγ（β＝１，２，…，ｎ、γ＝１，２）、すなわち赤色ＬＥＤ  ＲＡ１１、ＲＡ１２、ＲＡ２１、ＲＡ２２、…ＲＡｎ１、ＲＡｎ２、は直列接続されている。
【００４１】
赤色ＬＥＤ  ＲＢβγ（β＝１，２，…，ｎ、γ＝１，２）、すなわち赤色ＬＥＤ  ＲＢ１１、ＲＢ１２、ＲＢ２１、ＲＢ２２、…ＲＢｎ１、ＲＢｎ２、は直列接続されている。
【００４２】
緑色ＬＥＤ  ＧＡβγ（β＝１，２，…，ｎ、γ＝１，２）、すなわち緑色ＬＥＤ  ＧＡ１１、ＧＡ１２、ＧＡ２１、ＧＡ２２、…ＧＡｎ１、ＧＡｎ２、は直列接続されている。
【００４３】
緑色ＬＥＤ  ＲＢβγ（β＝１，２，…，ｎ、γ＝１，２）、すなわち緑色ＬＥＤ  ＧＢ１１、ＧＢ１２、ＧＢ２１、ＧＢ２２、…ＧＢｎ１、ＧＢｎ２、は直列接続されている。
【００４４】
青色ＬＥＤ  ＢＡβγ（β＝１，２，…，ｎ、γ＝１，２）、すなわち青色ＬＥＤ  ＢＡ１１、ＢＡ１２、ＢＡ２１、ＢＡ２２、…ＢＡｎ１、ＢＡｎ２、は直列接続されている。
【００４５】
青色ＬＥＤ  ＢＢβγ（β＝１，２，…，ｎ、γ＝１，２）、すなわち青色ＬＥＤ  ＢＢ１１、ＢＢ１２、ＢＢ２１、ＢＢ２２、…ＢＢｎ１、ＢＢｎ２、は直列接続されている。
【００４６】
直列接続されている赤色ＬＥＤ  ＲＡ１１、ＲＡ１２、ＲＡ２１、ＲＡ２２、…ＲＡｎ１、ＲＡｎ２の一端、即ち赤色ＬＥＤ  ＲＡ１１のアノード、および多端、即ち赤色ＬＥＤ  Ｒｎ２のカソードは、第１赤色制御回路１３０Ａに接続されている。
【００４７】
直列接続されている赤色ＬＥＤ  ＲＢ１１、ＲＢ１２、ＲＢ２１、ＲＢ２２、…ＲＢｎ１、ＲＢｎ２の一端、即ち赤色ＬＥＤ  ＲＢ１１のアノード、および多端、即ち赤色ＬＥＤ  Ｒｎ２のカソードは、第２赤色制御回路１３０Ｂに接続されている。
【００４８】
直列接続されている緑色ＬＥＤ  ＧＡ１１、ＧＡ１２、ＧＡ２１、ＧＡ２２、…ＧＡｎ１、ＧＡｎ２の一端、即ち緑色ＬＥＤ  ＧＡ１１のアノード、および多端、即ち緑色ＬＥＤ  Ｒｎ２のカソードは、第１緑色制御回路１３１Ａに接続されている。
【００４９】
直列接続されている緑色ＬＥＤ  ＧＢ１１、ＧＢ１２、ＧＢ２１、ＧＢ２２、…ＧＢｎ１、ＧＢｎ２の一端、即ち緑色ＬＥＤ  ＧＢ１１のアノード、および多端、即ち緑色ＬＥＤ  Ｒｎ２のカソードは、第２緑色制御回路１３１Ｂに接続されている。
【００５０】
直列接続されている青色ＬＥＤ  ＢＡ１１、ＢＡ１２、ＢＡ２１、ＢＡ２２、…ＢＡｎ１、ＢＡｎ２の一端、即ち青色ＬＥＤ  ＢＡ１１のアノード、および多端、即ち青色ＬＥＤ  Ｒｎ２のカソードは、第１青色制御回路１３２Ａに接続されている。
【００５１】
直列接続されている青色ＬＥＤ  ＢＢ１１、ＢＢ１２、ＢＢ２１、ＢＢ２２、…ＢＢｎ１、ＢＢｎ２の一端、即ち青色ＬＥＤ  ＢＢ１１のアノード、および多端、即ち青色ＬＥＤ  Ｒｎ２のカソードは、第２青色制御回路１３２Ｂに接続されている。
【００５２】
第１赤色制御回路１３０Ａは、直列接続された赤色ＬＥＤ  ＲＡ１１、ＲＡ１２、ＲＡ２１、ＲＡ２２、…ＲＡｎ１、ＲＡｎ２に流れる電流の値を検出する機能を有する。赤色ＬＥＤ  ＲＡ１１、ＲＡ１２、ＲＡ２１、ＲＡ２２、…ＲＡｎ１、ＲＡｎ２のカソード側はアースに接続されていないので、第１赤色制御回路１３０Ａは、他の制御回路１３１Ａ，１３１Ｂ，１３２Ａ，１３２Ｂに接続されたＬＥＤに流れる電流の影響を受けず、赤色ＬＥＤ  ＲＡ１１、ＲＡ１２、ＲＡ２１、ＲＡ２２、…ＲＡｎ１、ＲＡｎ２に流れる電流の値を精度良く検出することができる。第１赤色制御回路１３０Ａは、ＰＷＭ回路１２７から輝度制御信号として入力されるＰＷＭ信号のデューティ比と検出された電流の値とに基づいて、駆動電圧ＶＲの値を調整する。
【００５３】
第２赤色制御回路１３０Ｂは、直列接続された赤色ＬＥＤ  ＲＢ１１、ＲＢ１２、ＲＢ２１、ＲＢ２２、…ＲＢｎ１、ＲＢｎ２に流れる電流の値を検出する機能を有する。赤色ＬＥＤ  ＲＢ１１、ＲＢ１２、ＲＢ２１、ＲＢ２２、…ＲＢｎ１、ＲＢｎ２のカソード側はアースに接続されていないので、第２赤色制御回路１３０Ｂは、他の制御回路１３１Ａ，１３１Ｂ，１３２Ａ，１３２Ｂに接続されたＬＥＤに流れる電流の影響を受けず、赤色ＬＥＤ  ＲＢ１１、ＲＢ１２、ＲＢ２１、ＲＢ２２、…ＲＢｎ１、ＲＢｎ２に流れる電流の値を精度良く検出することができる。第２赤色制御回路１３０Ｂは、ＰＷＭ回路１２７から輝度制御信号として入力されるＰＷＭ信号のデューティ比と検出された電流の値とに基づいて、駆動電圧ＶＲの値を調整する。
【００５４】
第１緑色制御回路１３１Ａは、直列接続された緑色ＬＥＤ  ＧＡ１１、ＧＡ１２、ＧＡ２１、ＧＡ２２、…ＧＡｎ１、ＧＡｎ２に流れる電流の値を検出する機能を有する。緑色ＬＥＤ  ＧＡ１１、ＧＡ１２、ＧＡ２１、ＧＡ２２、…ＧＡｎ１、ＧＡｎ２のカソード側はアースに接続されていないので、第１緑色制御回路１３１Ａは、他の制御回路１３０Ａ，１３０Ｂ，１３２Ａ，１３２Ｂに接続されたＬＥＤに流れる電流の影響を受けず、緑色ＬＥＤ  ＧＡ１１、ＧＡ１２、ＧＡ２１、ＧＡ２２、…ＧＡｎ１、ＧＡｎ２に流れる電流の値を精度良く検出することができる。第１緑色制御回路１３１Ａは、ＰＷＭ回路１２７から輝度制御信号として入力されるＰＷＭ信号のデューティ比と検出された電流の値とに基づいて、駆動電圧ＶＲの値を調整する。
【００５５】
第２緑色制御回路１３１Ｂは、直列接続された緑色ＬＥＤ  ＧＢ１１、ＧＢ１２、ＧＢ２１、ＧＢ２２、…ＧＢｎ１、ＧＢｎ２に流れる電流の値を検出する機能を有する。緑色ＬＥＤ  ＧＢ１１、ＧＢ１２、ＧＢ２１、ＧＢ２２、…ＧＢｎ１、ＧＢｎ２のカソード側はアースに接続されていないので、第２緑色制御回路１３１Ｂは、他の制御回路１３０Ａ，１３０Ｂ，１３２Ａ，１３２Ｂに接続されたＬＥＤに流れる電流の影響を受けず、緑色ＬＥＤ  ＧＢ１１、ＧＢ１２、ＧＢ２１、ＧＢ２２、…ＧＢｎ１、ＧＢｎ２に流れる電流の値を精度良く検出することができる。第２緑色制御回路１３１Ｂは、ＰＷＭ回路１２７から輝度制御信号として入力されるＰＷＭ信号のデューティ比と検出された電流の値とに基づいて、駆動電圧ＶＲの値を調整する。
【００５６】
第１青色制御回路１３２Ａは、直列接続された青色ＬＥＤ  ＢＡ１１、ＢＡ１２、ＢＡ２１、ＢＡ２２、…ＢＡｎ１、ＢＡｎ２に流れる電流の値を検出する機能を有する。青色ＬＥＤ  ＢＡ１１、ＢＡ１２、ＢＡ２１、ＢＡ２２、…ＢＡｎ１、ＢＡｎ２のカソード側はアースに接続されていないので、第１青色制御回路１３２Ａは、他の制御回路１３０Ａ，１３１Ｂ，１３１Ａ，１３１Ｂに接続されたＬＥＤに流れる電流の影響を受けず、青色ＬＥＤ  ＢＡ１１、ＢＡ１２、ＢＡ２１、ＢＡ２２、…ＢＡｎ１、ＢＡｎ２に流れる電流の値を精度良く検出することができる。第１青色制御回路１３２Ａは、ＰＷＭ回路１２７から輝度制御信号として入力されるＰＷＭ信号のデューティ比と検出された電流の値とに基づいて、駆動電圧ＶＲの値を調整する。
【００５７】
第２青色制御回路１３２Ｂは、直列接続された青色ＬＥＤ  ＢＢ１１、ＢＢ１２、ＢＢ２１、ＢＢ２２、…ＢＢｎ１、ＢＢｎ２に流れる電流の値を検出する機能を有する。青色ＬＥＤ  ＢＢ１１、ＢＢ１２、ＢＢ２１、ＢＢ２２、…ＢＢｎ１、ＢＢｎ２のカソード側はアースに接続されていないので、第２青色制御回路１３２Ｂは、他の制御回路１３０Ａ，１３０Ｂ，１３１Ａ，１３１Ｂに接続されたＬＥＤに流れる電流の影響を受けず、青色ＬＥＤ  ＢＢ１１、ＢＢ１２、ＢＢ２１、ＢＢ２２、…ＢＢｎ１、ＢＢｎ２に流れる電流の値を精度良く検出することができる。第２青色制御回路１３２Ｂは、ＰＷＭ回路１２７から輝度制御信号として入力されるＰＷＭ信号のデューティ比と検出された電流の値とに基づいて、駆動電圧ＶＲの値を調整する。
【００５８】
制御回路１３０Ａ，１３０Ｂ，１３１Ａ，１３１Ｂ，１３２Ａ，１３２Ｂは精度良くＬＥＤに流れる電流の値を検出することができるので、検出された電流の値によるフィードバックの精度も高くなり、輝度ムラを改善することができる。
【００５９】
従来のＬＥＤを光源として用いた場合、隣接するグループの同色のＬＥＤは、同一の電源駆動回路で駆動している。また、ＬＥＤに駆動電圧を供給するための端子はプリント基板の端部に設けられることが多い。従って、発光エリアに応じて、端子と直列接続されたＬＥＤを接続する配線パターンの長さが異なる。ところが、配線パターン自身の抵抗により、配線パターンの長さが異なると、発光エリア（電源制御回路）に応じて駆動電圧が大幅に変動する。その結果、発光エリア間の輝度が変動しやすくなる。
【００６０】
本実施形態の場合、隣接するグループ内の同色のＬＥＤは、それぞれ異なる電源制御回路によって駆動されている。よって、赤色ＬＥＤ  ＲＡ１１，ＲＡ１２，ＲＡ２１，ＲＡ２２…，ＲＡｎ１，ＲＡｎ２を直列接続するための配線パターン、赤色ＬＥＤ  ＲＢ１１，ＲＢ１２，ＲＢ２１，ＲＢ２２…，ＲＢｎ１，ＲＢｎ２を直列接続するための配線パターン、緑色ＬＥＤ  ＧＡ１１，ＧＡ１２，ＧＡ２１，ＧＡ２２…，ＧＡｎ１，ＧＡｎ２を直列接続するための配線パターン、緑色ＬＥＤ  ＧＢ１１，ＧＢ１２，ＧＢ２１，ＧＢ２２…，ＧＢｎ１，ＧＢｎ２を直列接続するための配線パターン、青色ＬＥＤ  ＢＡ１１，ＢＡ１２，ＢＡ２１，ＢＡ２２…，ＢＡｎ１，ＢＡｎ２を直列接続するための配線パターン、青色ＬＥＤ  ＢＢ１１，ＢＢ１２，ＢＢ２１，ＢＢ２２…，ＢＢｎ１，ＢＢｎ２を直列接続するための配線パターンを直列接続するための配線パターンを直列接続するための配線パターンの長さが均一化される。従って、（電源制御回路）に応じて駆動電圧が大幅に変動することがなく、ＬＣＤ１７面内の輝度が均一になる。
【００６１】
また、隣接するグループ内の同色のＬＥＤを同一の電源制御回路で駆動した場合、何れかの白色ＬＥＤが点灯できなくなった場合、ブロック状に画面が認識出来ない部分が発生してしまう。ところが、本実施形態の場合、何れかの電源制御回路に接続されたＬＥＤを点灯することが出来なくなった場合、ブロック状に認識できない部分が発生するのではないので、図５に示すように、ライン状に色が変化した部分が発生する。
【００６２】
ところで、画面サイズが大きくなった場合、並列で駆動させる数が多くなり、電圧を大きくする必要があり、ＬＥＤに接続する配線パターンを広くする必要がある。配線パターンが広くするために、プリント基板の外形が大きくなる。図６に配線パターンを広くせずに、大画面化できる構成を示す。
【００６３】
図６に示すように、導光板１８の一端部に、赤色ＬＥＤ  Ｒ、緑色ＬＥＤ  Ｇ、青色ＬＥＤ  Ｂ１が実装された第１のプリント基板２０１Ａ、赤色ＬＥＤ  Ｒ’、緑色ＬＥＤ  Ｇ’、青色ＬＥＤ  Ｂ’が実装された第２のプリント基板２０１Ｂが設けられている。
【００６４】
第１のプリント基板２０１Ａには第１赤色制御回路１３０Ａ、第２赤色制御回路１３０Ｂ、第１緑制御回路１３１Ａ、第２緑制御回路１３１Ｂ、第１青制御回路１３２Ａ、第２青制御回路１３２Ｂから出力された駆動電圧を赤色ＬＥＤ  Ｒ、緑色ＬＥＤ  Ｇ、青色ＬＥＤ  Ｂに供給するための第１の端子群２０２Ａが設けられている。
【００６５】
第２のプリント基板２０１Ｂには、赤色ＬＥＤ  Ｒ’を駆動するための第１赤色制御回路１３０Ａ’および第２赤色制御回路１３０Ｂ’，緑色ＬＥＤ  Ｇ’を駆動するための第１緑色制御回路１３１Ａ’および第２緑色制御回路１３１Ｂ’、並びに青色ＬＥＤ  Ｂ’を駆動するための第１青色制御回路１３２Ａ’および第２青色制御回路１３２Ｂ’から出力された駆動電圧を、赤色ＬＥＤ  Ｒ’、緑色ＬＥＤ  Ｇｍ’、および青色ＬＥＤ  Ｂ’に供給するための第２の端子群２０２Ｂが設けられている。
【００６６】
第１の端子群２０２Ａと第２の端子群２０２Ｂとは、導光板１８を挟むように配置されている。導光板１８の左右方向に駆動電圧を供給するための端子群２０２Ａ，２０２Ｂを設けることによって、配線パターンが広くならず、外形が大きくなる事を抑える事が出来る。
【００６７】
また、ＰＷＭ回路１２７，１２８，１２９、およびグラフィクスコントローラ１１４は、コンピュータ本体１１内に設けられている。ＬＣＤ１７に画像を表示させるためには、ＰＷＭ回路１２７，１２８，１２９からのＰＷＭ信号、およびグラフィクスコントローラ１１４からの映像信号の複数の系統の信号をディスプレイユニット１２に供給する必要がある。複数の系統の信号を供給するためには、ディスプレイユニット１２内に複数の信号を供給するために複数のケーブルを必要とし、ケーブルを配置するための配置面積が必要となる。図７を参照してケーブルの配置面積を抑制することができる構成を示す。
【００６８】
図７に示すように、導光板１８の裏面側にインターフェース基板２１１が配置されている。インターフェース基板２１１には、制御回路１３０Ａ，１３０Ｂ，１３１Ａ，１３１Ｂ，１３２Ａ，１３２Ｂ第１の端子２１２および第２の端子２１３が設けられている。第１の端子２１２には、第１のフレキシブルプリント基板２１４が接続されている。第１のフレキシブルプリント基板２１４には、コンピュータ本体１１から供給されＰＷＭ信号、および映像信号が供給されている。
【００６９】
プリント基板２２には、赤色ＬＥＤ、緑色ＬＥＤ、および青色ＬＥＤが実装されている。第２の端子２１３にはプリント基板２２と接続された第２のフレキシブルプリント基板２１５が接続されている。そして、インターフェース基板２１１に供給された３種類のＰＷＭ信号に応じて制御回路１３０Ａ，１３０Ｂ，１３１Ａ，１３１Ｂ，１３２Ａ，１３２Ｂは、駆動電圧ＶＲＡ，ＶＲＢ，ＶＧＡ，ＶＧＢ，ＶＢＡ，ＶＢＣを調整する。そして、駆動電圧ＶＲＡ，ＶＲＢ，ＶＧＡ，ＶＧＢ，ＶＢＡ，ＶＢＣが、インターフェース基板２１１とプリント基板２２とを接続する第２のフレキシブルプリント基板２１５によって、プリント基板２２に供給される。
【００７０】
この構成であると、プリント基板２２をインターフェース基板２１１に接続することによって、３種類のＰＷＭ信号、および映像信号を１個の第１の端子２１２によって供給することができる。その結果、駆動電圧ＶＲＡ，ＶＲＢ，ＶＧＡ，ＶＧＢ，ＶＢＡ，ＶＢＣ、および映像信号を供給するためのケーブルが、一つの第１のフレキシブルプリント基板２１４ですみ、配置面積の増大を抑制することができる。
【００７１】
なお、上述したノートブック型パーソナルコンピュータ１０では、制御回路１３０Ａ，１３０Ｂ，１３１Ａ，１３１Ｂ，１３２Ａ，１３２Ｂがディスプレイユニット１２内に配置されている。しかし、コンピュータ本体１１内に制御回路１３０Ａ，１３０Ｂ，１３１Ａ，１３１Ｂ，１３２Ａ，１３２Ｂを配置しても良い。
【００７２】
また、図８に示すように、赤色ＬＥＤ、緑色ＬＥＤ、および青色ＬＥＤから構成されるグループを白色ＬＥＤに置き換えても良い。
【００７３】
次に図９を参照して、白色ＬＥＤから構成されるＬＥＤ群１９および制御回路の構成を説明する。
【００７４】
直列接続されている白色ＬＥＤ  ＷＡ１１、ＷＡ１２、ＷＡ２１、ＷＡ２２、…ＷＡｎ１、ＷＡｎ２の一端、即ち白色ＬＥＤ  ＷＡ１１のアノード、および多端、即ち白色ＬＥＤ  Ｒｎ２のカソードは、第１白色制御回路２３０Ａに接続されている。
【００７５】
直列接続されている白色ＬＥＤ  ＷＢ１１、ＷＢ１２、ＷＢ２１、ＷＢ２２、…ＷＢｎ１、ＷＢｎ２の一端、即ち白色ＬＥＤ  ＷＢ１１のアノード、および多端、即ち白色ＬＥＤ  Ｒｎ２のカソードは、第２白色制御回路２３０Ｂに接続されている。
【００７６】
直列接続されている白色ＬＥＤ  ＷＣ１１、ＷＣ１２、ＷＣ２１、ＷＣ２２、…ＷＣｎ１、ＷＣｎ２の一端、即ち白色ＬＥＤ  ＷＣ１１のアノード、および多端、即ち白色ＬＥＤ  Ｒｎ２のカソードは、第３白色制御回路２３０Ｃに接続されている。
【００７７】
第１白色制御回路２３０Ａは、直列接続された白色ＬＥＤ  ＷＡ１１、ＷＡ１２、ＷＡ２１、ＷＡ２２、…ＷＡｎ１、ＷＡｎ２に流れる電流の値を検出する機能を有する。白色ＬＥＤ  ＷＡ１１、ＷＡ１２、ＷＡ２１、ＷＡ２２、…ＷＡｎ１、ＷＡｎ２のカソード側はアースに接続されていないので、第１白色制御回路２３０Ａは、他の制御回路２３０Ｂ，２３０Ｃに接続されたＬＥＤに流れる電流の影響を受けず、白色ＬＥＤ  ＷＡ１１、ＷＡ１２、ＷＡ２１、ＷＡ２２、…ＷＡｎ１、ＷＡｎ２に流れる電流の値を精度良く検出することができる。第１白色制御回路２３０Ａは、ＰＷＭ回路２２７から輝度制御信号として入力されるＰＷＭ信号のデューティ比と検出された電流の値とに基づいて、駆動電圧ＶＷＡの値を調整する。
【００７８】
第２白色制御回路２３０Ｂは、直列接続された白色ＬＥＤ  ＷＢ１１、ＷＢ１２、ＷＢ２１、ＷＢ２２、…ＷＢｎ１、ＷＢｎ２に流れる電流の値を検出する機能を有する。白色ＬＥＤ  ＷＢ１１、ＷＢ１２、ＷＢ２１、ＷＢ２２、…ＷＢｎ１、ＷＢｎ２のカソード側はアースに接続されていないので、第２白色制御回路２３０Ｂは、他の制御回路２３０Ａ，２３０Ｃに接続されたＬＥＤに流れる電流の影響を受けず、白色ＬＥＤ  ＷＢ１１、ＷＢ１２、ＷＢ２１、ＷＢ２２、…ＷＢｎ１、ＷＢｎ２に流れる電流の値を精度良く検出することができる。第２白色制御回路２３０Ｂは、ＰＷＭ回路２２７から輝度制御信号として入力されるＰＷＭ信号のデューティ比と検出された電流の値とに基づいて、駆動電圧ＶＷＢの値を調整する。
【００７９】
第３白色制御回路２３０Ｃは、直列接続された白色ＬＥＤ  ＷＣ１１、ＷＣ１２、ＷＣ２１、ＷＣ２２、…ＷＣｎ１、ＷＣｎ２に流れる電流の値を検出する機能を有する。白色ＬＥＤ  ＷＣ１１、ＷＣ１２、ＷＣ２１、ＷＣ２２、…ＷＣｎ１、ＷＣｎ２のカソード側はアースに接続されていないので、第３白色制御回路２３０Ｃは、他の制御回路２３０Ａ，２３０Ｂに接続されたＬＥＤに流れる電流の影響を受けず、白色ＬＥＤ  ＷＣ１１、ＷＣ１２、ＷＣ２１、ＷＣ２２、…ＷＣｎ１、ＷＣｎ２に流れる電流の値を精度良く検出することができる。第３白色制御回路２３０Ｃは、ＰＷＭ回路２２７から輝度制御信号として入力されるＰＷＭ信号のデューティ比と検出された電流の値とに基づいて、駆動電圧ＶＷＣの値を調整する。
【００８０】
制御回路２３０Ａ，２３０Ｂ，２３０Ｃは精度良くＬＥＤに流れる電流の値を検出することができるので、検出された電流の値によるフィードバックの精度も高くなり、輝度ムラを改善することができる。
【００８１】
また、白色ＬＥＤの場合も図６に示した構成と同様に、白色ＬＥＤを複数の基板に実装しても良い。
【００８２】
また、ＬＥＤの配置例は図３に示した以外にも図１０に示すような構成で合っても良い。
【００８３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８４】
【図１】本発明の一実施形態に係る情報処理装置の外観を示す斜視図。
【図２】図１の情報処理装置のシステム構成の例を示すブロック図。
【図３】図１に示す光源の構成を示す図。
【図４】図１の情報処理装置に設けられたＬＥＤ駆動回路およびＬＥＤ群の構成の例を示すブロック図。
【図５】何れかの電源制御回路に接続されたＬＥＤが点灯しなくなった場合のＬＣＤの表示例を示す図。
【図６】ＬＥＤが実装されたプリント基板、および導光板を示す図。
【図７】ＬＥＤが実装されたプリント基板、およびプリント基板に接続されたインターフェース基板を示す図。
【図８】図１の光源の構成の変形例を示す図。
【図９】図１の情報処理装置に設けられたＬＥＤ駆動回路およびＬＥＤ群の構成の変形例を示すブロック図。
【図１０】図１の光源の構成の変形例を示す図。
【符号の説明】
【００８５】
１０…ノートブック型パーソナルコンピュータ，１２…ディスプレイユニット，Ｒαβγ（α＝Ａ，Ｂ、β＝１，２，…，ｎ、γ＝１，２）…赤色ＬＥＤ，Ｂαβγ（α＝Ａ，Ｂ、β＝１，２，…，ｎ、γ＝１，２）…緑色発光素子ＧＡ，Ｒαβγ（α＝Ａ，Ｂ、β＝１，２，…，ｎ、γ＝１，２）…青色発光素子ＢＡ，１７…ＬＣＤ，１８…導光板，１９…ＬＥＤ群，１２７〜１２９…ＰＷＭ回路，１３０Ａ…第１赤色制御回路，１３０Ｂ…第２赤色制御回路，１３１Ａ…第１緑色制御回路，１３１Ｂ…第２緑色制御回路，１３２Ａ…第１青色制御回路，１３２Ｂ…第２青色制御回路，２２７…ＰＷＭ回路，２３０Ａ…第１白色制御回路，２３０Ｂ…第２白色制御回路，２３０Ｃ…第３白色制御回路。
【図１】
2008158231.tif 000003
【図２】
2008158231.tif 000004
【図３】
2008158231.tif 000005
【図４】
2008158231.tif 000006
【図５】
2008158231.tif 000007
【図６】
2008158231.tif 000008
【図７】
2008158231.tif 000009
【図８】
2008158231.tif 000010
【図９】
2008158231.tif 000011
【図１０】
2008158231.tif 000012